(57)【要約】【課題】泡立ちが良く、ぬるつかず、すすぎ性に優れ、しかもすべすべして良好な肌感触が得られる洗浄剤組成物を提供することを目的とする。【解決手段】次の成分（Ａ）及び（Ｂ）：（Ａ）アルキルリン酸塩、Ｎ−アシルアミノ酸塩、Ｎ−アシル−Ｎ−カルボキシアルキルグリシン塩、Ｎ−アルキルアミドアルカノール硫酸エステル塩、ポリオキシエチレンアルキルアミドエーテルカルボン酸塩、ポリオキシエチレンエーテルカルボン酸塩、アシル化イセチオン酸塩及びＮ−アシル−Ｎ−アルキルタウリン塩から選ばれる１種もしくは２種以上のアニオン性界面活性剤（Ｂ）ポリグリセリンモノアルキルエーテルを含有する洗浄剤組成物を含有することにより上記課題を解決する。【選択図】なし【特許請求の範囲】
【請求項１】
次の成分（Ａ）及び（Ｂ）：
（Ａ）アルキルリン酸塩、Ｎ−アシルアミノ酸塩、Ｎ−アシル−Ｎ−カルボキシアルキルグリシン塩、Ｎ−アルキルアミドアルカノール硫酸エステル塩、ポリオキシエチレンアルキルアミドエーテルカルボン酸塩、ポリオキシエチレンエーテルカルボン酸塩、アシル化イセチオン酸塩及びＮ−アシル−Ｎ−アルキルタウリン塩から選ばれる１種または２種以上のアニオン性界面活性剤。
（Ｂ）ポリグリセリンモノアルキルエーテル
を含有する洗浄剤組成物。
【請求項２】
更に、（Ｃ）両性界面活性剤または非イオン性界面活性剤を含有する請求項１に記載の洗浄剤組成物。
【発明の詳細な説明】
【技術分野】
【０００１】
本発明は、泡立ちが良く、ぬるつかず、すすぎ性に優れ、しかもすべすべして良好な肌感触が得られる洗浄剤組成物に関する。
【背景技術】
【０００２】
従来、アルキル硫酸塩、アルキルエーテル硫酸塩等を主体とする洗浄剤組成物は、洗浄力に優れるものの、特に肌洗浄を目的とした場合には、一般に泡立ちが不十分であるうえ、脱脂力が強く、肌感触が悪いという欠点があった。また、石鹸を主体とする洗浄剤組成物の場合にも、肌への刺激があり、そのスカムにより肌感触が悪いという問題があった。
【０００３】
一方、このような洗浄剤組成物には、使用性を高めるために、一般にモノエタノールアミド類、ジエタノールアミド類、ソルビタンエステル類、カチオン化ポリマー、ヒドロキシエチルセルロース等の増粘剤が配合されている。しかしながら、これらの増粘剤を添加すると、起泡力が低下したり、すすぎ時にぬるつくなどの問題が生じる。またモノグリセリド類を配合することで洗浄時の使用性を高める技術も公開されている。（例えば、特許文献１参照。）しかしながら洗いあがり、泡立ち、すすぎ性、肌感触において未だ満足できるものではなく更なる改良が求められていた。
【特許文献１】特開平５−１５６２９５号公報
【発明の開示】
【発明が解決しようとする課題】
【０００４】
従って、本発明の目的は、泡立ちが良く、ぬるつかず、すすぎ性に優れ、しかも良好な肌感触を得ることができる洗浄剤組成物を提供することにある。
【課題を解決するための手段】
【０００５】
かかる実情において、本発明者らは鋭意研究を行った結果、特定のアニオン性界面活性剤と、ポリグリセリンモノアルキルエーテルを、特定の割合で組合わせて用いれば、泡立ちが良く、低刺激性でかつぬるつかず、すすぎ性に優れ、しかもすべすべして良好な肌感触が得られる洗浄剤組成物が得られることを見出し、本発明を完成した。
【０００６】
すなわち、本発明は、次の成分（Ａ）及び（Ｂ）：（Ａ）アルキルリン酸塩、Ｎ−アシルアミノ酸塩、Ｎ−アシル−Ｎ−カルボキシアルキルグリシン塩、Ｎ−アルキルアミドアルカノール硫酸エステル塩、ポリオキシエチレンアルキルアミドエーテルカルボン酸塩、ポリオキシエチレンエーテルカルボン酸塩、アシル化イセチオン酸塩及びＮ−アシル−Ｎ−アルキルタウリン塩から選ばれる１種または２種以上のアニオン性界面活性剤 （Ｂ）ポリグリセリンモノアルキルエーテルを含有する洗浄剤組成物を提供するものである。
【発明を実施するための最良の形態】
【０００７】
本発明で用いられる成分（Ａ）のアニオン性界面活性剤は、前記のうちから選ばれる１種または２種以上である。これらのうち、アルキルリン酸塩としては、例えば次の一般式（１）で表わされるものが挙げられる。
【０００８】
【化１】
2006282894.tif 000002
【０００９】
（式中、Ｒ１は炭素数８〜３６の炭化水素基を示し、Ｘ１は水素原子、アルカリ金属、アンモニウム、塩基性アミノ酸またはアルカノールアミンを示し、Ｘ２は水素原子、アルカリ金属、アンモニウム、塩基性アミノ酸、アルカノールアミンまたはＲ１−（ＯＣＨ２ＣＨ２）ｍ−を示し、ｍは０〜５の整数を示す）
【００１０】
式中、Ｒ１で示される炭素数８〜３６の炭化水素基としては、炭素数８〜３６の直鎖または分岐鎖のアルキル基またはアルケニル基が挙げられ、特に炭素数８〜２０の直鎖または分岐鎖のアルキル基が好ましい。具体的には、オクチル基、ノニル基、デシル基、ウンデシル基、ドデシル基、テトラデシル基、ペンタデシル基、ヘキサデシル基、オクタデシル基、イコシル基等が挙げられる。
【００１１】
また、Ｘ１及びＸ２のうち、アルカリ金属としては、例えばリチウム、ナトリウム、カリウム等が；塩基性アミノ酸としては、例えばアルギニン、リジン、ヒスチジン、オルニチン等が；アルカノールアミンとしては、炭素数２〜３のヒドロキシアルキル基を有するものが好ましく、例えばトリエタノールアミン、ジエタノールアミン、モノエタノールアミン等が挙げられる。
更に、ｍは０〜５の整数を示し、特に０が好ましい。
【００１２】
このようなアルキルリン酸塩（１）としては、ラウリルリン酸、ミリスチルリン酸またはパルミチルリン酸のナトリウム、カリウム、トリエタノールアミンまたはアルギニン塩が好ましい。
【００１３】
Ｎ−アシルアミノ酸塩としては、炭素数８〜２４のアシル基及び遊離カルボン酸残基を有するものが好ましく、具体的にはＮ−アシル−β−アラニン塩、Ｎ−アシルサルコシン塩、Ｎ−アシルグルタミン酸塩等が挙げられる。これらのうち、特にＮ−ラウロイル−β−アラニン、Ｎ−ラウロイルサルコシンまたはＮ−ラウロイル−Ｌ−グルタミン酸のアルギニン、カリウム、トリエタノールアミンまたはナトリウム塩が好ましい。
【００１４】
Ｎ−アシル−Ｎ−カルボキシアルキルグリシン塩としては、例えば次の一般式（２）で表わされるグリシン誘導体またはその塩が挙げられる。
【００１５】
【化２】
2006282894.tif 000003
【００１６】
（式中、Ｒ２は炭素数５〜２１の直鎖または分岐鎖のアルキル基、アルケニル基またはヒドロキシアルキル基を示す）
【００１７】
式中、Ｒ２で示される炭素数５〜２１の直鎖または分岐鎖のアルキル基、アルケニル基、ヒドロキシアルキル基としては、例えばｎ−ペンチル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘプタデシル基、メチルヘキサデシル基、エチルペンチル基、ヘプタデセニル基、ヒドロキシウンデシル基等が挙げられる。これらのうち、起泡性等の点から炭素数７〜１７のアルキル基、アルケニル基が好ましく、特に炭素数９〜１５のものが好ましい。
【００１８】
また、一般式（２）で表わされるグリシン誘導体の塩としては、例えばアルカリ金属塩、アルカリ土類金属塩、アンモニウム塩、総炭素数１〜２２のモノ、ジまたはトリアルカノールアミン塩、炭素数１〜２２のアルキル基またはアルケニル基置換ピリジニウム塩、総炭素数２〜５００及び総アミノ数２〜２５０のポリアルキレンポリアミン塩、塩基性アミノ酸塩等が挙げられ、例えばナトリウム塩、カリウム塩、マグネシウム塩、カルシウム塩、アンモニウム塩、モノエタノールアミン塩、ジエタノールアミン塩、トリエタノールアミン塩、エチレンジアミン塩、プロピレンジアミン塩、アルギニン塩、ヒスチジン塩、リジン塩等が挙げられる。これらのうち、アルカリ金属塩、トリアルカノールアミン塩、塩基性アミノ酸塩が好ましく、特にナトリウム塩、カリウム塩、トリエタノールアミン塩、アルギニン塩、更にナトリウム塩、カリウム塩が好ましい。
【００１９】
これらの一般式（２）で表わされるグリシン誘導体の塩は、必ずしも塩として配合する必要はなく、グリシン誘導体と、このような塩を形成する塩基とを別個に配合して、組成物中で塩を形成せしめてもよい。このような塩を形成する塩基としては、例えばアルカリ金属水酸化物、アルカリ土類金属水酸化物、アンモニア、炭素数１〜２２のモノ、ジまたはトリアルカノールアミン、炭素数１〜２２のアルキル基またはアルケニル基置換ピリジン、総炭素数２〜５００及び総アミノ数２〜２５０のポリアルキレンポリアミン、塩基性アミノ酸等が挙げられ、例えば水酸化ナトリウム、水酸化カリウム、水酸化マグネシウム、水酸化カルシウム、アンモニア、モノエタノールアミン、ジエタノールアミン、トリエタノールアミン、エチレンジアミン、プロピレンジアミン、アルギニン、ヒスチジン、リジン等が挙げられる。
【００２０】
このようなグリシン誘導体またはその塩（２）としては、Ｎ−ラウロイル−Ｎ−カルボキシエチルグリシンナトリウム塩、Ｎ−ラウロイル−Ｎ−カルボキシエチルグリシンカリウム塩、Ｎ−ラウロイル−Ｎ−カルボキシエチルグリシントリエタノールアミン塩、Ｎ−ミリストイル−Ｎ−カルボキシエチルグリシンナトリウム塩、Ｎ−ミリストイル−Ｎ−カルボキシエチルグリシンカリウム塩、Ｎ−ミリストイル−Ｎ−カルボキシエチルグリシントリエタノールアミン塩、Ｎ−ミリストイル−Ｎ−カルボキシエチルグリシンアルギニン塩、Ｎ−ヤシ油脂肪酸アシル−Ｎ−カルボキシエチルグリシンナトリウム塩、Ｎ−ヤシ油脂肪酸アシル−Ｎ−カルボキシエチルグリシンカリウム塩が好ましい。
【００２１】
Ｎ−アルキルアミドアルカノール硫酸エステル塩としては、例えば次の一般式（３）で表わされるものが挙げられる。
【００２２】
【化３】
2006282894.tif 000004
【００２３】
（式中、Ｒ３は炭素数６〜２２の直鎖または分岐鎖のアルキル基またはアルケニル基を示し、Ｒ４は炭素数１〜２２のアルキル基もしくはアルケニル基または水素原子を示し、Ｒ５は炭素数１〜５の直鎖または分岐鎖のアルキレン基を示し、Ｒ６Ｏは炭素数２〜３のオキシアルキレン基を示し、ｎは０〜２０の任意の数を示し、ｎ個のＲ６Ｏは同一でも異なっていてもよい。Ｍは水素原子、アルカリ金属、アルカリ土類金属、アンモニウム、総炭素数２〜９のアルカノールアンモニウム、総炭素数１〜２２のアルキルアンモニウムもしくはアルケニルアンモニウム、炭素数１〜１８のアルキル置換もしくはアルケニル置換ピリジニウム、または塩基性アミノ酸を示す。）
【００２４】
式中、Ｒ３で示される炭素数６〜２２の直鎖または分岐鎖のアルキル基またはアルケニル基としては、例えばヘキシル、オクチル、デシル、ドデシル、テトラデシル、ヘキサデシル、オクタデシル、イソステアリル、エイコシル、ドコシル等の基が挙げられ、炭素数６〜２２の直鎖または分岐鎖のアルキル基が起泡性の点で好ましく、炭素数８〜１８の直鎖アルキル基が特に好ましい。
【００２５】
また、Ｒ４は炭素数１〜２２のアルキル基もしくはアルケニル基または水素原子を示すが、炭素数１〜２２のアルキル基またはアルケニル基としては、メチル、エチル、プロピル、ブチルの他、上記のＲ３で例示したアルキル基またはアルケニル基が挙げられる。Ｒ４としては水素原子もしくはメチル基が起泡性及び化学的安定性の面から好ましい。
【００２６】
Ｒ５は炭素数１〜５の直鎖または分岐鎖のアルキレン基を示すが、メチレン基、ペンタメチレン基、２−メチルテトラメチレン基が好ましく、特にメチレン基が起泡性及び化学的安定性の上で好ましい。
【００２７】
Ｒ６Ｏは炭素数２〜３のオキシアルキレン基を示すが、オキシエチレン基またはオキシプロピレン基が好ましい。ｎは０〜２０の任意の整数を示すが、０〜１０の任意の整数が好ましく、０が特に好ましい。またｎ個のＲ４Ｏは同一でも異なっていてもよい。
【００２８】
Ｍ１は水素原子、アルカリ金属、アルカリ土類金属、アンモニウム、総炭素数２〜９のアルカノールアンモニウム、総炭素数１〜２２のアルキルアンモニウムもしくはアルケニルアンモニウム、炭素数１〜１８のアルキル置換もしくはアルケニル置換ピリジニウム、または塩基性アミノ酸を示すが、アンモニウム、ナトリウム、カリウム、総炭素数２〜９のアルカノールアンモニウムが起泡性の点から好ましく、アンモニウム、ナトリウム、トリエタノールアンモニウムがより好ましい。
【００２９】
このようなＮ−アルキルアミドアルカノール硫酸エステル塩の好ましい例を具体的に示せば、次の通りである。
【００３０】
ＣＨ３（ＣＨ２）１１ＮＨＣＯＣＨ２ＯＳＯ３ＮＨ４，
ＣＨ３（ＣＨ２）１１ＮＨＣＯ（ＣＨ２）５ＯＳＯ３ＮＨ４，
ＣＨ３（ＣＨ２）９ＮＨＣＯＣＨ２ＯＳＯ３ＮＨ４，
ＣＨ３（ＣＨ２）１１Ｎ（ＣＨ３）ＣＯＣＨ２ＯＳＯ３Ｎａ，
ＣＨ３（ＣＨ２）１１ＮＨＣＯＣＨ２ＯＳＯ３Ｎａ，
ＣＨ３（ＣＨ２）１１ＮＨＣＯ（ＣＨ２）２ＯＳＯ３Ｎａ，
ＣＨ３（ＣＨ２）１１ＮＨＣＯ（ＣＨ２）３ＯＳＯ３Ｎａ，
ＣＨ３（ＣＨ２）１１ＮＨＣＯ（ＣＨ２）４ＯＳＯ３Ｎａ，
ＣＨ３（ＣＨ２）１１ＮＨＣＯ（ＣＨ２）５ＯＳＯ３Ｎａ，
ＣＨ３（ＣＨ２）１１ＮＨＣＯＣＨ２ＣＨ（ＣＨ３）ＣＨ２ＣＨ２ＯＳＯ３Ｎａ，
ＣＨ３（ＣＨ２）１１ＮＨＣＯＣＨ２ＣＨ（ＣＨ３）ＣＨ２ＣＨ２ＯＳＯ３Ｋ，
【００３１】
ＣＨ３（ＣＨ２）１３ＮＨＣＯ（ＣＨ２）３ＯＳＯ３Ｎａ，
ＣＨ３（ＣＨ２）１３ＮＨＣＯ（ＣＨ２）３ＯＳＯ３ＮＨ４，
ＣＨ３（ＣＨ２）１３ＮＨＣＯ（ＣＨ２）４ＯＳＯ３ＮＨ４，
ＣＨ３（ＣＨ２）９ＮＨＣＯ（ＣＨ２）３ＯＳＯ３Ｎａ，
ＣＨ３（ＣＨ２）９ＮＨＣＯ（ＣＨ２）３ＯＳＯ３ＨＮ（ＣＨ２ＣＨ２ＯＨ）３，
ＣＨ３（ＣＨ２）９ＮＨＣＯ（ＣＨ２）３ＯＳＯ３Ｈ２Ｎ（ＣＨ２ＣＨ２ＯＨ）２，
ＣＨ３（ＣＨ２）９ＮＨＣＯ（ＣＨ２）３ＯＳＯ３Ｈ３ＮＣＨ２ＣＨ２ＯＨ，
ＣＨ３（ＣＨ２）９ＮＨＣＯ（ＣＨ２）５ＯＳＯ３Ｎａ，
ＣＨ３（ＣＨ２）ＮＨＣＯ（ＣＨ２）４ＯＳＯ３Ｎａ，
ＣＨ３（ＣＨ２）１１Ｎ（ＣＨ３）ＣＯ（ＣＨ２）３ＯＳＯ３Ｎａ，
ＣＨ３（ＣＨ２）１３Ｎ（ＣＨ３）ＣＯ（ＣＨ２）４ＯＳＯ３Ｎａ，
ＣＨ３（ＣＨ２）１１ＮＨＣＯ（ＣＨ２）３ＯＣＨ２ＣＨ２ＯＳＯ３Ｎａ，
ＣＨ３（ＣＨ２）１１ＮＨＣＯ（ＣＨ２）４ＯＣＨ２ＣＨ（ＣＨ３）ＯＳＯ３Ｎａ，
ＣＨ３（ＣＨ２）９ＮＨＣＯ（ＣＨ２）４Ｏ（ＣＨ２ＣＨ２Ｏ）５ＳＯ３Ｎａ
【００３２】
ポリオキシエチレンアルキルアミドエーテルカルボン酸塩としては、例えば次の一般式（４）で表わされるものが挙げられる。
【００３３】
【化４】
2006282894.tif 000005
【００３４】
（式中、Ｒ７は炭素数５〜２３の直鎖もしくは分岐鎖のアルキルもしくはアルケニル基またはそのようなアルキル基で置換されたフェニル基を示し、Ｒ８は水素原子、−（ＣＨ２ＣＨ２Ｏ）ｐＣＨ２ＣＯＯＭ２、−（ＣＨ２ＣＨ２Ｏ）ｑＨまたは炭素数１〜３のアルキル基を示し、Ｍ２は水素原子、アルカリ金属、アルカリ土類金属、アンモニウム、アルカノールアンモニウムまたは塩基性アミノ酸を示し、ｐ及びｑは同一でも異なってもよくそれぞれ１〜１０の整数を示す）
【００３５】
式中、Ｒ７としては、炭素数７〜１７のアルキル基もしくはアルケニル基、またはこのようなアルキル基で置換されたフェニル基、例えばヘプチル基、ノニル基、ウンデシル基、トリデシル基、ペンタデシル基、ヘプタデシル基、ヘプタデセニル基等、特にウンデシル基及びトリデシル基が好ましく、Ｒ８としては、水素原子または炭素数１〜３のアルキル基が好ましく、ｐ及びｑとしては、１〜１０、更に１〜８、特に２〜６の整数が好ましく、Ｍ２としては、例えばナトリウム、カリウム、マグネシウム、カルシウム、モノエタノールアミン、ジエタノールアミン、トリエタノールアミン、アルギニン、リジン等が挙げられる。
【００３６】
このようなポリオキシエチレンアルキルアミドエーテルカルボン酸またはその塩（４）の好ましい具体例としては、例えばカプリン酸モノエタノールアミドポリオキシエチレンエーテル酢酸、ラウリン酸モノエタノールアミドポリオキシエチレンエーテル酢酸、ミリスチン酸モノエタノールアミドポリオキシエチレンエーテル酢酸、パルミチン酸モノエタノールアミドポリオキシエチレンエーテル酢酸、ステアリン酸モノエタノールアミドポリオキシエチレンエーテル酢酸、オレイン酸モノエタノールアミドポリオキシエチレンエーテル酢酸、ベヘニン酸モノエタノールアミドポリオキシエチレンエーテル酢酸、ラウリン酸−Ｎ−メチルエタノールアミドポリオキシエチレンエーテル酢酸、ミリスチン酸−Ｎ−メチルエタノールアミドポリオキシエチレンエーテル酢酸、パルミチン酸−Ｎ−メチルエタノールアミドポリオキシエチレンエーテル酢酸、ステアリン酸−Ｎ−メチルエタノールアミドポリオキシエチレンエーテル酢酸、ラウリン酸イソプロパノールアミドポリオキシエチレンエーテル酢酸、ミリスチン酸イソプロパノールアミドポリオキシエチレンエーテル酢酸、パルミチン酸イソプロパノールアミドポリオキシエチレンエーテル酢酸、ステアリン酸イソプロパノールアミドポリオキシエチレンエーテル酢酸、ラウリン酸ジエタノールアミドポリオキシエチレンエーテル酢酸、ミリスチン酸ジエタノールアミドポリオキシエチレンエーテル酢酸、パルミチン酸ジエタノールアミドポリオキシエチレンエーテル酢酸、ステアリン酸ジエタノールアミドポリオキシエチレンエーテル酢酸等、またはそれらの塩が、更に好ましい具体例としては、ラウリン酸モノエタノールアミドポリオキシエチレンエーテル酢酸、ミリスチン酸モノエタノールアミドポリオキシエチレンエーテル酢酸、パルミチン酸モノエタノールアミドポリオキシエチレンエーテル酢酸、ステアリン酸モノエタノールアミドポリオキシエチレンエーテル酢酸等またはそれらの塩が挙げられ、特に好ましい具体例としてはラウリン酸モノエタノールアミドポリオキシエチレンエーテル酢酸（ｐ及びｑ＝２〜６）及びミリスチン酸モノエタノールアミドポリオキシエチレンエーテル酢酸（ｐ及びｑ＝２〜６）が挙げられる。
【００３７】
また、このようなポリオキシエチレンアルキルアミドエーテルカルボン酸またはその塩（４）は、原料に由来するアミドエーテル（５）やグリセリン誘導体（６）を含有していてもよい。
【００３８】
【化５】
2006282894.tif 000006
【００３９】
（式中、Ｒ７及びｐは前記と同じ意味を示し、Ｒ９は水素原子−（ＣＨ２ＣＨ２Ｏ）ｑＨまたは炭素数１〜３のアルキル基を示し、Ｒ１０は−（ＣＨ２ＣＨ２Ｏ）ｐＣＨ２ＣＯＯＭ２または−（ＣＨ２ＣＨ２Ｏ）ｑＨを示す。一般式（４）、（５）及び（６）相互におけるＲ７、Ｍ２、ｐ及びｑは同一でも異なってもよい。）
【００４０】
ポリオキシエチレンエーテルカルボン酸塩としては、例えば次の一般式（７）で表わされるものが挙げられる。
【００４１】
【化６】
2006282894.tif 000007
【００４２】
（式中、Ｒ１１は炭素数５〜２３の直鎖もしくは分岐鎖のアルキルもしくはアルケニル基またはそのようなアルキル基で置換されたフェニル基を示し、Ｍ３は水素原子、アルカリ金属、アルカリ土類金属、アンモニウム、アルカノールアンモニウムまたは塩基性アミノ酸を示し、ｒは１〜１０の整数を示す。）
【００４３】
式中、Ｒ１１ としては、前記Ｒ７と同様のものが挙げられ、特に炭素数５〜１７のものが好ましい。また、Ｍ３としては、前記Ｍ２と同様のものが挙げられ、特にナトリウム塩、カリウム塩、トリエタノールアミン塩、アンモニウム塩が好ましい。ｒとしては、１〜１０、特に２〜８、更に２〜６の数が好ましい。
【００４４】
このようなポリオキシエチレンエーテルカルボン酸塩（７）としては、ポリオキシエチレンラウリルエーテルカルボン酸、ポリオキシエチレンミリスチルエーテルカルボン酸、ポリオキシエチレンパルミチルエーテルカルボン酸のナトリウム、カリウム、トリエタノールアミンまたはアルギニン塩が好ましい。
【００４５】
アシル化イセチオン酸塩としては、例えば炭素数８〜２４の直鎖または分岐鎖の飽和または不飽和の脂肪酸基を有するアシル化イセチオン酸塩が挙げられる。これらのうち、特に炭素数８〜１４の直鎖飽和脂肪酸基を有するもが好ましい。
【００４６】
Ｎ−アシル−Ｎ−アルキルタウリン塩としては、例えば炭素数８〜２０のアシル基と炭素数１〜１０のアルキル基を有するＮ−アシル−Ｎ−アルキルタウリン塩が挙げられる。これらのうち、特に炭素数８〜１８のアシル基と炭素数１〜８のアルキル基を有するものが好ましい。
【００４７】
成分（Ａ）のアニオン性界面活性剤としては、特にアルキルリン酸、Ｎ−アシルアミノ酸塩、Ｎ−アシル−Ｎ−カルボキシアルキルグリシン塩、Ｎ−アルキルアミドアルカノール硫酸エステル塩、ポリオキシエチレンアルキルアミドエーテルカルボン酸塩、ポリオキシエチレンエーテルカルボン酸塩、Ｎ−アシル−Ｎ−アルキルタウリン塩が好ましく、更にアルキルリン酸塩、Ｎ−アシルアミノ酸塩、Ｎ−アシル−Ｎ−カルボキシアルキルグリシン塩、Ｎ−アルキルアミドアルカノール硫酸エステル塩、ポリオキシエチレンアルキルアミドエーテルカルボン酸塩が好ましい。
【００４８】
成分（Ａ）のアニオン性界面活性剤は、１種または２種以上を組合わせて用いることができ洗浄剤組成物中の割合は、特に限定されるものではないが通常２〜４０重量部、好ましくは２〜３０重量部、特に好ましくは２〜２０重量部配合される。２重量部未満では十分な泡立ちが得られず、４０重量部を超えるとコスト、ぬるつき感等の点で不利である。
【００４９】
本発明で用いられる成分（Ｂ）のポリグリセリンモノアルキルエーテルとしては、例えば次の一般式（８）で表わされるものが挙げられる。
【００５０】
Ｒ１２−（ＯＣＨ２−ＣＨ−ＣＨ２）ｎ−ＯＨ  式（８）
（式中、Ｒ１２はアルキル基、アルケニル基、ヒドロキシアルキル基で直鎖状あるいは分岐状であることを問わない、ｎは２以上の整数。）
【００５１】
式（８）におけるＲ１２はアルキル基、アルケニル基、ヒドロキシアルキル基で直鎖状あるいは分岐状のものであれば特に限定されるものではないが、好ましくは炭素数８〜１８の直鎖もしくは分岐状のアルキル基が好ましく、特に好ましくは炭素数８〜１４の直鎖のアルキル基である。具体的には、オクチル基、ノニル基、デシル基、ウンデシル基、ドデシル基、トリデシル基、テトラデシル基が挙げられる。また式（８）におけるｎは２以上の整数であれば特に限定されるものではないが好ましくは２〜２０、特に好ましくは３〜１０、更に好ましくは４〜８である。成分（Ｂ）のポリグリセリンモノアルキルエーテルの製造方法としては、塩基性触媒の存在下、脂肪族アルコールに該アルコール/グリシドールの存在モル比が特定となるようにグリシドールを添加して反応させる方法、ポリグリセリンにα-オレフィンエポキシドを反応させることによって得られる方法、酸触媒もしくはアルカリ触媒の存在下でアルキルグリシジルエーテルをポリグリセリンを用いて開環させる方法等が挙げられるが特に限定されるものではない。このようなポリグリセリンモノアルキルエーテルの好ましい例としてはテトラグリセリンモノオクチルエーテル、テトラグリセリンモノデシルエーテル、テトラグリセリンモノドデシルエーテル、テトラグリセリンモノテトラデシルエーテル、ヘキサグリセリンモノオクチルエーテルヘキサグリセリンモノデシルエーテル、ヘキサグリセリンモノドデシルエーテル、ヘキサグリセリンモノテトラデシルエーテル、オクタグリセリンモノオクチルエーテル、オクタグリセリンモノデシルエーテル、オクタグリセリンモノドデシルエーテル、オクタグリセリンモノテトラデシルエーテル等が挙げられるが、特に好ましくはヘキサグリセリンモノドデシルエーテル、オクタグリセリンモノドデシルエーテル、デカグリセリンモノドデシルエーテルである。
【００５２】
成分（Ｂ）のポリグリセリンモノアルキルエーテルは、１種または２種以上を組合わせて用いることができ、洗浄剤組成物中の割合は特に限定するものではないが通常、０．０１〜２０重量部、好ましくは０．１〜１５重量部、特に好ましくは０．５〜１０重量部配合される。０．０１重量部未満では十分な泡立ちや感触改良効果が得られず、２０重量部を超えると組成物の調製が困難であり、また使用感に劣る。
【００５３】
本発明の洗浄剤組成物には、更に成分（Ｃ）として両性界面活性剤、非イオン性界面活性剤を配合することができ、泡立ち等の性能をより向上させることができるので好ましい。これらのうち、両性界面活性剤としては、通常の洗浄剤に用いられるものであれば特に制限されず、例えばカルボベタイン系活性剤、アミドベタイン系活性剤、スルホベタイン系活性剤、ホスホベタイン系活性剤、イミダゾリウムベタイン系活性剤、アミンオキサイド系活性剤等のいずれをも使用することができる。
【００５４】
これらのうち、アルキルアミドプロピルベタイン、アルキルヒドロキシスルホベタイン、アルキルジメチルアミノ酢酸ベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイドが好ましく、特にアルキルアミドプロピルベタイン、アルキルヒドロキシスルホベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイドが好ましい。
【００５５】
また、非イオン性界面活性剤としては、通常の洗浄剤組成物に用いられるものであれば特に制限されず、例えばポリオキシエチレン脂肪酸エステル、ポリオキシエチレン硬化ヒマシ油、ポリオキシエチレンソルビタン脂肪酸エステル、中鎖脂肪酸モノグリセリド、グリセリンモノアルキルエーテル、ポリオキシエチレンアルキルエーテル、ポリオキシエチレンポリオキシプロピレングリコール、ヤシ油脂肪酸ジエタノールアミド、Ｃ６〜Ｃ２４脂肪酸ジエタノールアミド、Ｃ６〜Ｃ２４脂肪酸モノエタノールアミド、グリセリン脂肪酸（Ｃ６〜Ｃ２４）エステル、アルキルサッカライド系界面活性剤等が挙げられる。
【００５６】
これらのうち、特にグリセリンモノアルキルエーテル、ポリアルキルグリコシド、モノ脂肪酸（Ｃ６〜Ｃ２４）グリセライド、ジ脂肪酸（Ｃ６〜Ｃ２４）グリセライド、Ｃ６〜Ｃ２４脂肪酸ジエタノールアミド、Ｃ６〜Ｃ２４脂肪酸モノエタノールアミド、ポリオキシエチレンポリオキシプロピレングリコールが好ましい。
【００５７】
成分（Ｃ）としては、特にアルキルアミドプロピルベタイン、アルキルヒドロキシスルホベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイド、グリセリンモノアルキルエーテル、ポリアルキルグリコシド、モノ脂肪酸（Ｃ６〜Ｃ２４）グリセライド、ジ脂肪酸（Ｃ６〜Ｃ２４）グリセライド、Ｃ６〜Ｃ２４脂肪酸ジエタノールアミド、Ｃ６〜Ｃ２４脂肪酸モノエタノールアミド、ポリオキシエチレンポリオキシプロピレングリコールが好ましい。
【００５８】
成分（Ｃ）としては、両性界面活性剤及び非イオン性界面活性剤から選ばれる１種または２種以上を組合わせて用いることができ、洗浄剤組成物中に０．１〜３０重量部配合するのが好ましく、特に０．５〜２５重量部、更に０．８〜２０重量部配合すると、泡立ちや肌感触がより向上するので好ましい。
【００５９】
本発明の洗浄剤組成物には、前記成分のほか、通常の洗浄剤組成物に用いられる成分、例えばアニオン性、ノニオン性、カチオン性ポリマー等の粘度調整剤；ポリオール類等の保湿成分；アマイド、脂肪酸等の増泡剤；その他防腐剤、スクワラン、ホホバ油、オリーブ油、高級アルコール、ラノリン、エステル、シリコーン等の油分、水溶性高分子、pH調整剤、パール化剤、紫外線吸収剤、酸化防止剤、香料、色素等を、本発明の効果を損なわない範囲で適宜配合することができる。
【００６０】
本発明の洗浄剤組成物は、通常の方法に従って、例えば前記成分と残部の水とを混合し全体を１００重量部とすることにより製造することができる。ここで、水は洗浄剤組成物中に４５〜９５重量部、特に６０〜９０重量部配合するのが好ましい。また、本発明の洗浄剤組成物は、ｐＨ４〜１１、特にｐＨ５〜１０であるのが好ましい。
【００６１】
本発明の洗浄剤組成物は、泡立ちが良く、低刺激性でかつぬるつかずすすぎ性に優れ、しかもすべすべして良好な肌感触が得られるものであり、特に皮膚洗浄用として好適である。
【実施例】
【００６２】
次に、実施例、比較例を挙げて本発明を更に詳細に説明するが、本発明はこれらの実施例に限定されるものではない。
【００６３】
実施例及び比較例
表１及び表２に示す組成の洗浄剤組成物を常法により製造し、泡立ち、すすぎ性及び肌感触を評価した。結果を表１及び表２に示す。表中の配合量の数値は精製水を残部添加することにより合計１００重量部としたときのそれぞれ重量部である。
【００６４】
【表１】
2006282894.tif 000008
【００６５】
【表２】
2006282894.tif 000009
【００６６】
表１及び表２の結果より、本発明品はいずれも、泡立ちが良く、非常に良好な肌感触が得られるものであった。また、ぬるつかず、すすぎ性に優れていた。
【００６７】
（評価方法）
（１）泡立ち量の測定方法
各洗浄剤組成物について、２０倍希釈水溶液を調製し、この溶液１００ｍｌ（液温３０℃）を５００ｍｌメスシリンダーに注入した。ついで撹拌羽根を上記溶液中に設置し 、１０００ｒｐｍの回転数で１分間撹拌した。その後生じた泡の体積（ｍｌ）を測定し泡立ち量とした。
○；泡立ち３００ｍｌ以上
△；泡立ち２００ｍｌ以上２５０ｍｌ未満
×；泡立ち２００ｍｌ未満
（２）すすぎ性：専門パネラーにより、洗浄剤組成物１ｇを用いて手を洗浄したときのすすぎ性を、以下の基準で官能評価した。
○；すすぎ時にぬるつかない。
△；すすぎ時にややぬるつく。
×；すすぎ時にぬるつく。
（３）肌感触：専門パネラーにより、洗浄剤組成物１ｇを用いて手を洗浄したときの、洗浄後の肌感触(しっとり感)を以下の基準で官能評価した。
◎；洗浄後の肌感触が非常に良い。
○；洗浄後の肌感触が良い。
△；洗浄後の肌感触があまり良くない。
×；洗浄後の肌感触が良くない。
【産業上の利用可能性】
【００６８】
本発明品である洗浄剤組成物はいずれも、泡立ちが良く、ぬるつかず、すすぎ性に優れ、しかもすべすべして良好な肌感触が得られるものであった。